(57)【要約】 【課題】  ホールの美観を趣向性溢れるものとすると共に、遊技に関する様々な情報を提供し得るパチンコホール用椅子を提供することを目的とする。【解決手段】  パチンコホール用椅子１の背もたれ部２の背面２ａに、所定のピッチで繰り返された直線からなる第一模様１１ａを有する第一パターン部１１と、第一模様１１ａと相似形状の第二模様１２ａを用いて形成されたモアレ模様を有する第二パターン部１２と、キャラクター図柄１０ａを有する第三パターン部１０とが第一、第二透明性シート１３，１４に設けられてなるパチンコ用装飾シート６を、キャラクター図柄１０ａが視認可能となるように被着した。【選択図】  図１
0003104223.tif 000002
【実用新案登録請求の範囲】
【請求項１】
脚部の上端に配設された着座水平部と、着座水平部から起立した背もたれ部とを備えるパチンコホール用椅子において、
前記背もたれ部の背面に、
透明性シートの一面に、所定のピッチで繰り返された所定の第一模様を有する第一パターン部が、他面に、前記第一模様と相似形状の第二模様を用いて形成されたモアレ模様を有する第二パターン部が設けられ、さらに当該透明性シートの表面にパチンコ遊技情報図柄を有する第三パターン部が設けられてなるパチンコ用装飾シートが、パチンコ遊技情報図柄が視認可能となるように被着されてなることを特徴とするパチンコホール用椅子。
【請求項２】
パチンコ用装飾シートが、背もたれ部の背面に脱着可能に被着されてなることを特徴とする請求項１記載のパチンコホール用椅子。
【請求項３】
下端が開口した袋状のカバー本体を背もたれ部の上端に被覆して、パチンコホール用椅子に装着するパチンコホール用椅子カバーであって、
カバー本体の背面に、上方が開口する透明性ポケットを配設し、該透明性ポケットに、パチンコ遊技情報図柄が表示された遊技情報シートを、パチンコ遊技情報図柄が透明性ポケットを介して視認可能となるように挿入してなることを特徴とするパチンコホール用椅子カバー。
【請求項４】
遊技情報シートが、
透明性シートの一面に、所定のピッチで繰り返された所定の第一模様を有する第一パターン部を、他面に、前記第一模様と相似形状の第二模様を用いて形成されたモアレ模様を有する第二パターン部を設け、さらに当該透明性シートの表面にパチンコ遊技情報図柄を有する第三パターン部を設けてなるパチンコ用装飾シートであることを特徴とする請求項３記載のパチンコホール用椅子カバー。
【請求項５】
使用者の背中が接触するカバー本体の前面に、内部に緩衝材が収納された緩衝材収納室が形成されてなることを特徴とする請求項３又は請求項４記載のパチンコホール用椅子カバー。
【考案の詳細な説明】
【技術分野】
【０００１】
本考案は、パチンコホールに設置される遊技者用の椅子、及びそのパチンコホール用椅子に装着される椅子カバーに関するものである。
【背景技術】
【０００２】
パチンコホールには、遊技者用の椅子が遊技島に沿って複数列設されていることは良く知られている。このパチンコホール用椅子は、脚部の上端に配設された着座水平部と、着座水平部から起立した背もたれ部とからなる構成が一般的である。
【０００３】
ところで、パチンコホールは、遊技機のガラス板、又は館内の壁面等に遊技方法の説明、サービス内容、又は宣伝広告等を掲示して、遊技に関する様々な情報を遊技者に提供している。
【考案の開示】
【考案が解決しようとする課題】
【０００４】
しかしながら、上述したパチンコホール用椅子は、これまで単なる備品としてのみ取り扱われており、情報提供するためのものとしては、ほとんど利用されていなかった。
【０００５】
そこで、本考案者は、パチンコホール用椅子がパチンコホールに不可欠なものであって、かつその設置台数も多数であることに着目し、多くの遊技者に様々な情報を効果的に提供し得る情報提供媒体として利用することを発案した。さらに、これに付随するものとして、パチンコホール用椅子カバーにも着目した。
【０００６】
本考案は、遊技に関する様々な情報を提供し得るパチンコホール用椅子、及びこれに装着されるパチンコホール用椅子カバーを提供することを目的とする。
【課題を解決するための手段】
【０００７】
本考案は、脚部の上端に配設された着座水平部と、着座水平部から起立した背もたれ部とを備えるパチンコホール用椅子において、前記背もたれ部の背面に、透明性シートの一面に、所定のピッチで繰り返された所定の第一模様を有する第一パターン部が、他面に、前記第一模様と相似形状の第二模様を用いて形成されたモアレ模様を有する第二パターン部が設けられ、さらに当該透明性シートの表面にパチンコ遊技情報図柄を有する第三パターン部が設けられてなるパチンコ用装飾シートが、前記パチンコ遊技情報図柄が視認可能となるように被着されてなることを特徴とするパチンコホール用椅子である。
【０００８】
ここで、前記パチンコ遊技情報図柄は、例えば、パチンコ遊技機に登場するキャラクターを模したキャラクター図柄、又は、パチンコホールや遊技機の宣伝等を表示する宣伝図柄等が挙げられ、パチンコ遊技に関するあらゆる情報を構成する文字、図形、記号、又は模様等が含まれる。
【０００９】
本考案にかかるパチンコホール用椅子は、特開平１１−１８９０００号公報に開示されている装飾シートにより構成されるパチンコ用装飾シートが被着される。以下、装飾シートについて説明すると、かかる装飾シートは、透明性シートの表裏に模様が形成されたパターン部を備え、視差立体化（視差ステレオグラム）の作用を利用することにより、平面でありながら立体感を感じさせるものである。かかる構成の装飾シートは、看者が当該装飾シートの模様を視認する際にシート面よりも後方で焦点を合わせた場合は、シート面よりも奥まった像を見せる。これに対し、看者が前方で焦点を合わせた場合は、シート面よりも飛び出した像を見せる。したがって、その見え方の面白さから、看者に装飾シートに対する好奇心を強く抱かせるものである。そして、このような装飾シートに上記パチンコ遊技情報図柄を設けたものが、本考案にかかるパチンコ用装飾シートである。
【００１０】
したがって、本考案にかかる構成とすることにより、その見え方の面白さから、遊技者はパチンコ用装飾シートが被着されたパチンコホール用椅子に注目することとなり、そこに表示されるパチンコ遊技情報図柄の内容を強く認識することとなる。また、好奇心が刺激されるパチンコ用装飾シートが被着されたパチンコホール用椅子が、遊技島に沿って多数列設されることにより、パチンコホールの美観が趣向性のあるものとなる。
【００１１】
また、パチンコ用装飾シートが、背もたれ部の背面に脱着可能に被着されてなる構成が提案される。
【００１２】
かかる構成とすることにより、ホールの店員によるパチンコ用装飾シートのメンテナンスが容易となると共に、異なる表示内容のパチンコ用装飾シートを短いサイクルで難なく交換することが可能となり、遊技者を飽きさせることなく、また提供し得る情報量も増すこととなる。
【００１３】
また、本考案は、下端が開口した袋状のカバー本体を背もたれ部の上端に被覆して、パチンコホール用椅子に装着するパチンコホール用椅子カバーであって、カバー本体の背面に、上方が開口する透明性ポケットを配設し、該透明性ポケットに、パチンコ遊技情報図柄が表示された遊技情報シートを、パチンコ遊技情報図柄が透明性ポケットを介して視認可能となるように挿入してなることを特徴とするパチンコホール用椅子カバーである。
【００１４】
このように、パチンコホール用椅子カバーでパチンコホール用椅子の背もたれ部を被覆することにより、パチンコホール用椅子の背もたれ部が保護され、当該椅子の使用可能期間を延ばすことができると共に、背面に透明性ポケットを配設し、かつパチンコ遊技に関する情報をシートに表示し、当該シートを透明性ポケットにより保持することにより、パチンコホール用椅子が情報提供媒体として機能することとなって、従来に比してその有用性が格段に向上する。なお、遊技情報シートを透明性ポケットから抜き差しすることにより、当該シートを容易に交換することができる。
【００１５】
また、遊技情報シートが、透明性シートの一面に、所定のピッチで繰り返された所定の第一模様を有する第一パターン部を、他面に、前記第一模様と相似形状の第二模様を用いて形成されたモアレ模様を有する第二パターン部を設け、さらに当該透明性シートの表面にパチンコ遊技情報図柄を有する第三パターン部を設けてなるパチンコ用装飾シートである構成が提案される。
【００１６】
上述のように、パチンコ用装飾シートを用いることにより、より一層遊技者の注目度は増し、かかるパチンコホール用椅子カバーが装着されたパチンコホール用椅子の有用性がより高まることとなる。
【００１７】
さらに、使用者の背中が接触するカバー本体の前面に、内部に緩衝材が収納された緩衝材収納室が形成されてなる構成が提案される。
【００１８】
かかる構成とすることにより、遊技者の座り心地は向上し、遊技者の集中力を長時間継続させることが可能となる。
【考案の効果】
【００１９】
本考案のパチンコホール用椅子は、背もたれ部の背面に、所定のピッチで繰り返された所定の第一模様を有する第一パターン部と、モアレ模様を有する第二パターン部と、パチンコ遊技情報図柄を有する第三パターン部とを備えた透明性シートからなるパチンコ用装飾シートを被着した構成としたため、その装飾シートの見え方の面白さから、遊技者にパチンコ用装飾シートが被着されたパチンコホール用椅子に興味を抱かせることが可能となる。したがって、そこに表示したパチンコ遊技情報図柄を強く認識させることができるため、情報提供媒体として、その有用性を飛躍的に向上させることができる優れた効果がある。また、そのようなパチンコホール用椅子が多数列設されると、パチンコホールの美観は趣向性溢れるものとなり、全体としてホールの美観向上の効果もある。
【００２０】
また、パチンコ用装飾シートが、背もたれ部の背面に脱着可能に被着されてなる構成とした場合は、ホールの店員によるシートのメンテナンスを容易とすると共に、様々な内容のパチンコ用装飾シートを短いサイクルで迅速かつ簡便に交換することが可能となり、遊技者を飽きさせることなく、また提供し得る情報量を増やすことができる優れた利点がある。
【００２１】
また、本考案のパチンコホール用椅子カバーは、カバー本体の背面に透明性ポケットを配設し、該透明性ポケットに遊技情報シートを挿入してなる構成としたため、パチンコホール用椅子の背もたれ部を保護して当該椅子の使用可能期間を延ばすことができると共に、パチンコホール用椅子を情報提供媒体として機能させることができ、従来に比してその有用性を格段に向上させる効果がある。
【００２２】
また、かかる構成にあって、遊技情報シートが、透明性シートの一面に、所定のピッチで繰り返された所定の第一模様を有する第一パターン部を、他面に、前記第一模様と相似形状の第二模様を用いて形成されたモアレ模様を有する第二パターン部を設け、さらに当該透明性シートの表面にパチンコ遊技情報図柄を有する第三パターン部を設けたパチンコ用装飾シートである構成とした場合は、より一層遊技者の注目度を増すことができ、パチンコホール用椅子カバーが装着されたパチンコホール用椅子の有用性がより高まることとなると共に、パチンコホールの美観も向上し、集客効果も奏する。
【００２３】
さらに、使用者の背中が接触するカバー本体の前面に、内部に緩衝材が収納された緩衝材収納室が形成されてなる構成とした場合は、遊技者の座り心地は向上し、遊技者の集中力を長時間継続させることが可能となる利点がある。
【考案を実施するための最良の形態】
【００２４】
本考案の一実施形態例を添付図面に従って説明する。
図１は、パチンコホール（図示省略）内に載置されたパチンコホール用椅子１の背面を示すものである。
パチンコホール用椅子１は、円板状の幅広支持部５と、幅広支持部５の中心から鉛直上方に設けられた軸部７とからなる脚部４を備えている。そして、この脚部４の軸部７上端７ａには、遊技者が着座するための着座水平部３が配設され、さらにこの着座水平部３の外縁の所定部位から、所定高さの背もたれ部２が起立している。なお、本実施形態例にかかる背もたれ部２の背面２ａは、硬質のプラスチック材料により構成されている。
【００２５】
次に、本考案の要部について説明する。
本考案かかるパチンコホール用椅子１は、前記背もたれ部２の背面２ａに、キャラクター図柄１０ａが描かれたパチンコ用装飾シート６が被着されていることを特徴としている。このキャラクター図柄１０ａは、パチンコ遊技機に登場するキャラクターを模したものである。なお、本実施形態例にかかるキャラクター図柄１０ａにより、本考案にかかるパチンコ遊技情報図柄が構成される。
【００２６】
ここで、パチンコ用装飾シート６は、図２に示されるような構成からなり、視差立体化（視差ステレオグラム）の作用を利用することによって、平面でありながら立体感を感じさせるものである。さらに詳述すると、パチンコ用装飾シート６は、ポリ塩化ビニル製で、所定厚である第一透明性シート１４を備えており、この第一透明性シート１４の一側の表面に、第一模様１１ａを有する第一パターン部１１が形成されている。この第一模様１１ａは、所定ピッチで並行状に多数繰り返された直線であって、第一透明性シート１４上に印刷されることにより形成されている。
【００２７】
一方、この第一透明性シート１４の他側の表面には、第二模様１２ａを有する第二パターン部１２が形成されている。この第二模様１２ａは、前記第一模様１１ａと相似形状であって、モアレ模様を用いて形成されている。
【００２８】
上記構成にあって、具体的には、第一透明性シート１４の厚みは０．３ｍｍであり、第一縞様１１ａは線幅０．２ｍｍ、ピッチ０．４ｍｍである。また、第二模様１２ａは、第一縞様１１ａを９８％に縮小した縞様を１５°で交叉して重ねて得られた模様を印刷で形成している。
【００２９】
さらに、第一模様１１ａが形成される側の第一透明性シート１４上面には、魚や貝を模したキャラクター図柄１０ａを有する第三パターン部１０が形成された第二透明性シート１３が密着状に形成されている。
【００３０】
上述の構成からなるパチンコ用装飾シート６は、表面又は裏面から見た場合にモアレ現象によって格子状のモアレ模様（又はネガ／ポジ逆転の菱形模様）が得られ、かかるモアレ模様が当該シート６面よりも沈んだ感じに見え、立体感があるように見える。
【００３１】
そして、かかるパチンコ用装飾シート６が、パチンコホールのお客にキャラクター図柄１０ａが視認可能となるように、背面２ａのほぼ中央に被着される。ここで、パチンコ用装飾シート６を被着する手段としては、接着剤を介して背もたれ部２に直に接着しても良いし、当該シート６が脱着可能となるように、貼着・剥離を繰返し可能な接着テープを用いても良い。また、背面２ａ中央に透明材料からなるポケットを設け、そのポケットに挿入して保持する構成としても良い。さらに、当該シート６を板材に貼付し、かかる板材を背面２ａに固定する構成としても良い。
【００３２】
ところで、第三パターン部１０は、キャラクター図柄１０ａを表示する構成に限られることなく、パチンコホールや遊技機の宣伝等を表示する宣伝図柄等であっても良い。
【００３３】
また、透明性性シート１４は、光を透過し得る程度に透明なものであれば良く、半透明に着色してあっても良い。また、材質としては、ポリエチレン，ポリプロピレン，ポリエステル，ナイロン，ポリウレタン，ポリ酢酸ビニル，ポリアクリル等の汎用の合成樹脂製シートが用いられる。
【００３４】
また、第一模様１１ａ、第二模様１２ａ、及びキャラクター図柄１０ａなどを印刷する方法は、例えばグラビア印刷，オフセット印刷など、位置合わせが可能な印刷方法であれば特に限定されるものではない。さらに、単色印刷であっても、多色印刷であっても良い。さらにまた、片面印刷のものについては表印刷であっても良いし、裏印刷であっても良い。
【００３５】
さらに、三次元効果を呈する模様が形成されるための縮小，拡大の比率は、縮小率は９０％以上１００％未満が好ましく、拡大率は１００％を超え１１０％以下が好ましい。また、表裏面の模様の１ピッチは０．８ｍｍ以下であることが好ましく、立体感が効果的に得られる。
【００３６】
このような立体感があるように見えるパチンコ用装飾シート６の構成は、特開平１１−１８９０００号公報で開示されており、透明性シートの積層構造については複数の構成が提案されている。
【００３７】
次に、本考案にかかるパチンコホール用椅子カバー２０について、図３〜５に従って説明する。
このパチンコホール用椅子カバー２０は、パチンコホール用椅子１に装着されるものであって、具体的には、背もたれ部２の上端を被覆するようにして装着される。
【００３８】
さらに詳述すると、パチンコホール用椅子カバー２０は、袋形状をした布製のカバー本体２１により構成されている。このカバー本体２１は、下端に開口部２５を有し、遊技者（使用者）の背中が接触するカバー前面２１ｂ、背もたれ部２の側部に沿う側面２１ｃ、及び背もたれ部２の背面２ａ側に位置するカバー背面２１ａとを備えている。そして、背もたれ部２の上端を開口部２５から被せることが可能となるような大きさ・形状に縫製されている。
【００３９】
次に、要部について説明する。
カバー本体２１のカバー背面２１ａには、図３，５に示されるように、上方が開口した透明性ポケット２２が配設されている。この透明性ポケット２２は、カバー背面２１ａの面積よりわずかに小さい大きさで切り出された透明性のビニールシートにより構成され、上縁にポケット開口部２６が形成されるように、その両側縁ｘ，ｘと下縁ｙとがミシン糸３０により縫製して作成している。
【００４０】
そして、透明性ポケット２２のポケット開口部２６からは、パチンコ遊技に関する様々な情報図柄が表示される遊技情報シートＳが、当該図柄が視認可能となるように挿入され、当該遊技情報シートＳをパチンコホール用椅子１の背もたれ部２に相当する位置に、保持して掲示可能とすることができる。ここで、図３に示されるように、本実施形態例では、遊技情報シートＳとしてパチンコ用装飾シート６を用いている。すなわち、キャラクター図柄１０ａが透明性ポケット２２を介して視認可能となるように挿入されて保持されることとなる。また、遊技情報シートＳとしては、その他、キャラクター図柄等のパチンコ遊技情報図柄が表示される一般的な案内紙、案内プレート等であっても良い。
【００４１】
これに対し、カバー本体２１のカバー前面２１ｂには、図４，５に示されるように、内部２３ａにクッション材（緩衝材）２４が収納されるクッション材収納室２３が、カバー前面２１ｂとほぼ同じ大きさ・形状で形成されている。このように、遊技者の背中が接触するカバー前面２１ｂにクッション材収納室２３を設けることにより、座り心地が向上することとなる。なお、クッション材収納室２３に、クッション材２４を出し入れ可能とする、ファスナー付きの取出口をクッション材収納室２３の外縁に設けても良い。なお、本実施形態例にかかるクッション材収納室２３により、本考案にかかる緩衝材収納室が構成される。
【００４２】
なお、上記実施形態例は例示に過ぎず、本考案の主旨を逸脱しない限り様々な構成が提案され得る。
【図面の簡単な説明】
【００４３】
【図１】パチンコホール用椅子１の背面図である。
【図２】パチンコ用装飾シート６の縦断面図である。
【図３】パチンコホール用椅子カバー２０が装着された、背もたれ部２の背面図である。
【図４】パチンコホール用椅子カバー２０が装着された、背もたれ部２の正面図である。
【図５】パチンコホール用椅子カバー２０の縦断面図である。
【符号の説明】
【００４４】
１  パチンコホール用椅子
２  背もたれ部
２ａ  背面
３  着座水平部
４  脚部
６  パチンコ用装飾シート
７ａ  脚部上端
１０  第三パターン部
１０ａ  キャラクター図柄
１１  第一パターン部
１１ａ  第一模様  
１２  第二パターン部
１２ａ  第二模様
１３  第二透明性シート
１４  第一透明性シート
２０  パチンコホール用椅子カバー
２１  カバー本体
２１ａ  カバー背面
２１ｂ  カバー前面
２２  透明性ポケット
２３  クッション材収納室
２４  クッション材
Ｓ  遊技情報シート
【図１】
0003104223.tif 000003
【図２】
0003104223.tif 000004
【図３】
0003104223.tif 000005
【図４】
0003104223.tif 000006
【図５】
0003104223.tif 000007